(57)【特許請求の範囲】
【請求項１】
車両の接近を歩行者に通報する情報提供装置であって、
路側センサが計測したセンサ情報の受信、及び前記車両が計測した車両状態情報の受信のうちの少なくとも１つを実行する通信部と、
受信した前記センサ情報及び前記車両状態情報のうちの少なくとも１つに基づいて、前記歩行者に情報提供を行う対象エリアと当該対象エリアに接近する前記車両との相対位置情報と、前記車両の速度情報を生成する制御部と、を備え、
前記制御部は、生成した前記相対位置情報と前記速度情報に基づいて、前記車両の中から異常な走行を行う異常走行車両の存否を判定する判定処理を行い、この判定処理の結果に応じた歩行者向けの提供情報を出力する情報提供装置。
【請求項２】
前記制御部は、
前記判定処理の結果が前記異常走行車両の存在である場合にのみ、
前記異常走行車両の接近を通報する前記歩行者向けの提供情報を出力する
請求項１に記載の情報提供装置。
【請求項３】
前記制御部は、
前記判定処理の結果が前記異常走行車両の不存在である場合は、
前記歩行者向けの提供情報として、前記異常走行車両以外の通常車両の接近を通報する第１の提供情報を出力し、
前記判定処理の結果が前記異常走行車両の存在である場合は、
前記歩行者向けの提供情報として、前記異常走行車両の接近を通報する第２の提供情報を、前記第１の提供情報との相違を前記歩行者が判別できる形式にて出力する請求項１に記載の情報提供装置。
【請求項４】
前記通信部は、前記歩行者が携帯する携帯端末から、当該携帯端末の位置情報と、前記歩行者の属性情報を受信し、
前記制御部は、受信した前記位置情報と前記属性情報に基づいて、前記属性情報に該当する前記歩行者が前記対象エリアに存在することを通報する車両向けの提供情報を出力する請求項１〜請求項３のいずれか１項に記載の情報提供装置。
【請求項５】
前記制御部は、
前記属性情報を受信した場合にのみ、
当該属性情報に該当する前記歩行者の存在を通報する前記車両向けの提供情報を出力する請求項４に記載の情報提供装置。
【請求項６】
前記制御部は、
前記属性情報を受信しない場合には、
前記車両向けの提供情報として、前記属性情報に該当しない前記歩行者が前記対象エリアに存在することを通報する第１の提供情報を出力し、
前記属性情報を受信した場合には、
前記車両向けの提供情報として、前記属性情報に該当する前記歩行者が前記対象エリアに存在することを通報する第２の提供情報を、前記第１の提供情報との相違を前記車両の搭乗者が判別できる形式にて出力する請求項４に記載の情報提供装置。
【請求項７】
前記判定処理は、前記対象エリアから所定距離だけ離れた位置で所定速度以上の高速で走行する、高速走行車両を判定する処理を含む請求項１〜請求項６のいずれか１項に記載の情報提供装置。
【請求項８】
前記判定処理は、交差点である前記対象エリアに通行権がない状態で通行することが推定される、信号無視車両を判定する処理を含む請求項１〜請求項７のいずれか１項に記載の情報提供装置。
【請求項９】
前記判定処理は、前記対象エリアから所定距離だけ離れた位置において所定頻度以上で蛇行を繰り返す、蛇行走行車両を判定する処理を含む請求項１〜請求項８のいずれか１項に記載の情報提供装置。
【請求項１０】
車両の接近を歩行者に通報する情報提供装置として、コンピュータを機能させるためのコンピュータプログラムであって、
前記情報提供装置の通信部が、路側センサが計測したセンサ情報の受信、及び前記車両が計測した車両状態情報の受信のうちの少なくとも１つを実行する第１ステップと、
前記情報提供装置の制御部が、受信した前記センサ情報及び前記車両状態情報のうちの少なくとも１つに基づいて、前記歩行者に情報提供を行う対象エリアと当該対象エリアに接近する前記車両との相対位置情報と、前記車両の速度情報を生成する第２ステップと、
前記情報提供装置の制御部が、生成した前記相対位置情報と前記速度情報に基づいて、前記車両の中から異常な走行を行う異常走行車両の存否を判定する判定処理を行い、この判定処理の結果に応じた歩行者向けの提供情報を出力する第３ステップと、を含むコンピュータプログラム。
【請求項１１】
車両の接近を歩行者に通報する情報提供方法であって、
情報提供装置の通信部が、路側センサが計測したセンサ情報の受信、及び前記車両が計測した車両状態情報の受信のうちの少なくとも１つを実行する第１ステップと、
前記情報提供装置の制御部が、受信した前記センサ情報及び前記車両状態情報のうちの少なくとも１つに基づいて、前記歩行者に情報提供を行う対象エリアと当該対象エリアに接近する前記車両との相対位置情報と、前記車両の速度情報を生成する第２ステップと、
前記情報提供装置の制御部が、生成した前記相対位置情報と前記速度情報に基づいて、前記車両の中から異常な走行を行う異常走行車両の存否を判定する判定処理を行い、この判定処理の結果に応じた歩行者向けの提供情報を出力する第３ステップと、を含む情報提供方法。
【発明の詳細な説明】
【技術分野】
【０００１】
本発明は、情報提供装置、情報提供方法及びコンピュータプログラムに関する。より具体的には、車両の接近を歩行者に通報する交通安全支援の改良に関する。
【背景技術】
【０００２】
携帯端末との相対位置に基づいて車載端末が歩行者への接近を判定し、接近と判定した場合に警告信号を携帯端末に送信することにより、歩行者に車両の接近を通報して歩行者の安全性を高める通報装置が既に知られている（例えば、特許文献１参照）。
この従来の通報装置では、警告信号を受信した携帯端末が仮想的な警告音を生成し、この警告音をスピーカやイヤホンから音声出力することにより、車両が接近したことを歩行者に通報する。
【先行技術文献】
【特許文献】
【０００３】
【特許文献１】特開２００９−７８６３２号公報
【発明の概要】
【発明が解決しようとする課題】
【０００４】
従来の通報装置では、車両の走行状態とは無関係に車両の接近が歩行者に通報されるので、例えば、交通量の多い道路では歩行者が携帯端末から頻繁に通報を受けることになる。このため、歩行者が携帯端末からの通報に慣れてしまい、歩行者に対する交通安全支援の効果が次第に薄れるという問題がある。
【０００５】
本発明は、かかる従来の問題点に鑑み、通報慣れによる歩行者に対する注意喚起度合いの低下を防止することにより、歩行者の安全をより高めることができる情報提供装置等を提供することを目的とする。
【課題を解決するための手段】
【０００６】
（１）  本発明の一態様に係る情報提供装置は、車両の接近を歩行者に通報する情報提供装置であって、前記歩行者に情報提供を行う対象エリアと当該対象エリアに接近する前記車両との相対位置情報と、前記車両の速度情報を取得する取得部と、取得した前記相対位置情報と前記速度情報に基づいて、前記車両の中から異常な走行を行う異常走行車両の存否を判定する判定処理を行い、この判定処理の結果に応じた歩行者向けの提供情報を出力する制御部と、を備える。
【０００７】
（１０）  本発明の一態様に係るコンピュータプログラムは、車両の接近を歩行者に通報する情報提供装置として、コンピュータを機能させるためのコンピュータプログラムであって、前記情報提供装置の取得部が、前記歩行者に情報提供を行う対象エリアと当該対象エリアに接近する前記車両との相対位置情報と、前記車両の速度情報を取得するステップと、前記情報提供装置の制御部が、取得した前記相対位置情報と前記速度情報に基づいて、前記車両の中から異常な走行を行う異常走行車両の存否を判定する判定処理を行い、この判定処理の結果に応じた歩行者向けの提供情報を出力するステップと、を含む。
【０００８】
（１１）  本発明の一態様に係る情報提供方法は、車両の接近を歩行者に通報する情報提供方法であって、情報提供装置の取得部が、前記歩行者に情報提供を行う対象エリアと当該対象エリアに接近する前記車両との相対位置情報と、前記車両の速度情報を取得するステップと、前記情報提供装置の制御部が、取得した前記相対位置情報と前記速度情報に基づいて、前記車両の中から異常な走行を行う異常走行車両の存否を判定する判定処理を行い、この判定処理の結果に応じた歩行者向けの提供情報を出力するステップと、を含む。
【発明の効果】
【０００９】
本発明によれば、通報慣れによる歩行者に対する注意喚起効果の低下を防止することができるので、歩行者の安全をより高めることができる。
【図面の簡単な説明】
【００１０】
【図１】本発明の実施形態に係る情報提供システムが設置された交差点の一例を示す道路平面図である。
【図２】電光表示板及び路側拡声器の設置例を示す正面図である。
【図３】情報提供装置の構成例を示すブロック図である。
【図４】携帯端末の構成例を示すブロック図である。
【図５】情報提供装置の制御部の処理内容を示すフローチャートである。
【図６】携帯端末による歩行者向けの提供情報の表示例を示す説明図である。
【図７】情報提供装置の制御部の別の処理内容を示すフローチャートである。
【図８】携帯端末による歩行者向けの提供情報の別の表示例を示す説明図である。
【図９】車両の搭乗者に対する車両向けの提供情報の表示例を示す説明図である。
【図１０】車両の搭乗者に対する車両向けの提供情報の別の表示例を示す説明図である。
【発明を実施するための形態】
【００１１】
＜本発明の実施形態の概要＞  
以下、本発明の実施形態の概要を列記して説明する。
（１）  本実施形態の情報提供装置は、路側センサが計測したセンサ情報の受信、及び前記車両が計測した車両状態情報の受信のうちの少なくとも１つを実行する通信部と、受信した前記センサ情報及び前記車両状態情報のうちの少なくとも１つに基づいて、前記歩行者に情報提供を行う対象エリアと当該対象エリアに接近する前記車両との相対位置情報と、前記車両の速度情報を生成する制御部と、を備え、前記制御部は、生成した前記相対位置情報と前記速度情報に基づいて、前記車両の中から異常な走行を行う異常走行車両の存否を判定する判定処理を行い、この判定処理の結果に応じた歩行者向けの提供情報を出力する。
【００１２】
本実施形態の情報提供装置によれば、制御部が、対象エリアに接近する車両の中から異常な走行を行う異常走行車両の存否を判定する判定処理を行い、この判定処理の結果に応じた歩行者向けの提供情報を出力する。
このため、異常走行車両の場合に限り提供情報を出力したり、異常走行車両の場合とそうでない場合とで提供情報の内容を変えたりするなど、通報する提供情報の重要度に応じて出力態様を情報提供側が選択することができる。
【００１３】
従って、単純に車両の接近をすべて通報する従来方法に比べて、通報慣れによって歩行者の注意喚起度合いが低下するのを防止することができ、歩行者の安全をより高めることができる。
【００１４】
（２）  本実施形態の情報提供装置において、より具体的には、前記制御部は、前記判定処理の結果が前記異常走行車両の存在である場合にのみ、前記異常走行車両の接近を通報する前記歩行者向けの提供情報を出力することすればよい。
このようにすれば、実際に歩行者が危険に晒される場合に限り、歩行者向けの提供情報が歩行者に報知されるので、通報慣れによって歩行者の注意喚起度合いが低下するのを防止することができる。
【００１５】
（３）  本実施形態の情報提供装置において、前記制御部は、前記判定処理の結果が前記異常走行車両の不存在である場合は、前記歩行者向けの提供情報として、前記異常走行車両以外の通常車両の接近を通報する第１の提供情報を出力し、前記判定処理の結果が前記異常走行車両の存在である場合は、前記歩行者向けの提供情報として、前記異常走行車両の接近を通報する第２の提供情報を、前記第１の提供情報との相違を前記歩行者が判別できる形式にて出力することにしてもよい。
【００１６】
このようにすれば、第１の提供情報により、通常車両の接近についても歩行者に通報できるので、歩行者向けの提供情報の種類を豊富化できる。
また、第２の提供情報は、第１の提供情報との相違を歩行者が判別できる形式（例えば、形状や色彩などの視覚的な相違や、音量などの聴覚的な相違）にて出力されるので、通報慣れによって歩行者の注意喚起度合いが低下するのを防止することができる。
【００１７】
（４）  本実施形態の情報提供装置において、前記通信部は、前記歩行者が携帯する携帯端末から、当該携帯端末の位置情報と、前記歩行者の属性情報を受信し、前記制御部は、受信した前記位置情報と前記属性情報に基づいて、前記属性情報に該当する前記歩行者が前記対象エリアに存在することを通報する車両向けの提供情報を出力することにしてもよい。
【００１８】
このようにすれば、属性情報の受信側である車両が、対象エリアに存在する歩行者の属性情報を搭乗者に報知することにより、搭乗者に対する注意喚起を歩行者の属性ごとに行うことができる。
【００１９】
（５）  本実施形態の情報提供装置において、前記制御部は、前記属性情報を受信した場合にのみ、当該属性情報に該当する前記歩行者の存在を通報する前記車両向けの提供情報を出力することにしてもよい。
このようにすれば、歩行者が所定の属性に該当する場合に限り、車両向けの提供情報が車両の搭乗者に報知されるので、通報慣れによって搭乗者の注意喚起度合いがの低下するのを防止することができる。
【００２０】
（６）  本実施形態の情報提供装置において、前記制御部は、前記属性情報を受信しない場合には、前記車両向けの提供情報として、前記属性情報に該当しない前記歩行者が前記対象エリアに存在することを通報する第１の提供情報を出力し、前記属性情報を受信した場合には、前記車両向けの提供情報として、前記属性情報に該当する前記歩行者が前記対象エリアに存在することを通報する第２の提供情報を、前記第１の提供情報との相違を前記車両の搭乗者が判別できる形式にて出力することにしてもよい。
【００２１】
このようにすれば、第１の提供情報により、通常の歩行者の存在についても車両の搭乗者に通報できるので、車両向けの提供情報の種類を豊富化できる。
また、第２の提供情報は、第１の提供情報との相違を車両の搭乗者が判別できる形式（例えば、形や色彩などの視覚的な相違や、音量などの聴覚的な相違）にて出力されるので、通報慣れによって搭乗者の注意喚起度合いが低下するのを防止することができる。
【００２２】
（７）  本実施形態の情報提供装置において、前記判定処理には、例えば、前記対象エリアから所定距離だけ離れた位置で所定速度以上の高速で走行する、高速走行車両を判定する処理が含まれる。
この場合、高速走行車両の存在を歩行者に報知できるようになる。
【００２３】
（８）  本実施形態の情報提供装置において、前記判定処理には、交差点である前記対象エリアに通行権がない状態で通行することが推定される、信号無視車両を判定する処理を含めてもよい。
この場合、信号無視車両の存在を歩行者に報知できるようになる。
【００２４】
（９）  本実施形態の情報提供装置において、前記判定処理には、前記対象エリアから所定距離だけ離れた位置において所定頻度以上で蛇行を繰り返す、蛇行走行車両を判定する処理を含めてもよい。
この場合、蛇行走行車両の存在を歩行者に報知できるようになる。
【００２５】
（１０）  本実施形態のコンピュータプログラムは、車両の接近を歩行者に通報する上述の（１）〜（９）の情報提供装置として、コンピュータを機能させるためのコンピュータプログラムに関する。従って、本実施形態のコンピュータプログラムは、上述の（１）〜（９）の情報提供装置と同様の作用効果を奏する。
【００２６】
（１１）  本実施形態の情報提供方法は、車両の接近を歩行者に通報する上述の（１）〜（９）の情報提供装置が実行する方法に関する。従って、本実施形態の情報提供方法は、上述の（１）〜（９）の情報提供装置と同様の作用効果を奏する。
【００２７】
＜本発明の実施形態の詳細＞  
以下、図面を参照して、本発明の実施形態の詳細を説明する。なお、以下に記載する実施形態の少なくとも一部を任意に組み合わせてもよい。
【００２８】
〔システムの全体構成〕
図１は、本発明の実施形態に係る情報提供システムが設置された交差点Ｊの一例を示す道路平面図である。
図１に示す情報提供システムは、交差点Ｊに向かって流入する複数の車両８の中から、速度超過、信号無視及び蛇行走行などの異常な走行を行う車両（以下、「異常走行車両」という。）を抽出し、交差点Ｊ付近の歩行者４に通報するシステムである。
【００２９】
本実施形態の情報提供システムは、信号灯器１、交通信号制御機２、情報提供装置３、歩行者４が携帯する携帯端末５、電光表示板６、路側センサ７、及び車両８に搭載された車載端末９などを備える。
信号灯器１は、交差点Ｊに向かって走行する車両８に通行権の有無を灯色で表示する車両灯器よりなる。図１では省略しているが、交差点Ｊには、横断歩道を通行する歩行者４に通行権の有無を灯色と点滅で表示する歩行者灯器１０（図２参照）も設置されている。
【００３０】
交通信号制御機２は、交通管制センターの中央装置（図示せず）から通知された信号制御指令或いは定周期制御による所定のステップに従って、信号灯器１の灯色切り替えタイミングを決定する。
また、交通信号制御機２は、右折感応制御や歩行者支援制御などの地点感応制御を行った場合には、その制御によって変更されたステップ秒数に従って、信号灯器１の灯色切り替えタイミングを決定する。
【００３１】
情報提供装置３は、情報提供の対象エリアである交差点Ｊに存在する携帯端末５との通信がより確実となるように、交差点Ｊの近傍（例えば、交通信号制御機２が設置された支柱など）に設置されている。
情報提供装置３は、交差点Ｊを横断する歩行者４にとって危険となる異常走行車両を車両８の中から検出すると、異常走行車両の接近を知らせる歩行者向けの提供情報を、携帯端末５と電光表示板６などの路側装置に送信する。
【００３２】
図２は、電光表示板６及び路側拡声器１１の設置例を示す正面図である。
図２に示すように、電光表示板６は、例えば、ＬＥＤ（Light Emitting Diode）などの縦横に並ぶ多数の発光素子を有する掲示板を有し、情報提供装置３から受信した提供情報の内容に応じて、所定の文字及び図形などを電光表示する。電光表示板６は、できるだけ多くの歩行者４に情報提供できるように、歩行者灯器１０を支持するブラケットに取り付けられ、歩行者灯器１０に隣接した位置に配置されている。
【００３３】
電光表示板６の代わりに、或いは、電光表示板６に加えて路側拡声器（スピーカ）１１を交差点Ｊの適所に設けることにしてもよい。図２の例では、路側拡声器１１が電光表示板６に隣接した位置に設置されているが、設置位置はこれに限定されない。
路側拡声器１１は、情報提供装置３から受信した提供情報の内容を読み上げたり、大音響の仮想音源を交差点Ｊに向けて出力したりして、異常走行車両の接近を注意喚起する音声や音響を交差点Ｊの周囲の歩行者４に放送する。
【００３４】
図１に戻り、路側センサ７は、交差点Ｊに流入する車両８の走行状態（位置及び速度など）を計測する機能を有する路側に設置されたセンサである。
路側センサ７は、交差点Ｊから上流側の所定位置（例えば、２００ｍの位置）までの範囲を監視エリアとする、例えば３次元レーザレーダ又は監視カメラなどよりなる。３次元レーザレーダは、車両８にパルスレーザ光を三次元的に照射し、反射光の帰還時間を計測することで、監視エリアを通行する車両８の位置と速度を検出する。
【００３５】
監視カメラは、車両８の受像データに所定の画像処理を行って車両８を識別し、車両８と判定された受像データが、道路位置と対応づけられた座標のどの位置にあるかにより、車両８の位置と速度を検出する。
図１では、東向きの流入路を走行する車両８を監視する１つの路側センサ７が例示されているが、交差点Ｊの他の西向き、南向き及び北向きの流入路にも、車両８を監視する路側センサ７が設置されている。
【００３６】
車載端末９は、例えば７００ＭＨｚ帯ＩＴＳ規格に従って車車間通信する通信機能を備えた通信装置よりなる。車載端末９は、自機が搭載された車両８の現時点における位置、速度、方位及びハンドルの操舵角などの車両状態情報を、他の車両８の車載端末９と無線で情報交換している。
情報提供装置３は、路側センサ７の監視エリア内で車載端末９がブロードキャストした上記の車両状態情報を受信することができる。
【００３７】
〔情報提供装置の構成〕
図３は、情報提供装置３の構成例を示すブロック図である。
図３に示すように、情報提供装置３は、制御部３１、駆動部３２、記憶部３３、無線通信部３４、及び有線通信部３５を含む。
【００３８】
制御部３１は、１又は複数のマイクロコンピュータよりなる。制御部３１は、内部バスなどを介して他のハードウェア各部３２〜３５と接続されており、これらのハードウェア各部３２〜３５の動作を制御する。
制御部３１は、交差点Ｊに流入する車両８が異常走行車両か否かを判定し、異常走行車両である場合に、異常走行の種別と存在方向などを含む歩行者向けの提供情報を、駆動部３２と無線通信部３４に出力する。なお、上記判定処理の詳細については後述する。
【００３９】
駆動部３２は、歩行者向けの提供情報の内容通りに外部装置を駆動するための駆動信号を生成し、生成した駆動信号を電光表示板６及び路側拡声器１１のうちの少なくとも１つに送信する。
電光表示板６は、受信した駆動信号に応じて、提供情報の内容（例えば、「西から信号無視車両が接近中」など）を電光表示する。路側拡声器１１は、受信した駆動信号に応じて、提供情報の内容を読み上げて出力したり、大音響の仮想音源を出力したりする。
【００４０】
無線通信部３４は、無線ＬＡＮ及びBluetooth（「Bluetooth」は登録商標である。）など、携帯端末５が対応する通信プロトコルにて当該携帯端末５と無線通信を行う通信インタフェースを有する。無線通信部３４は、所定の通信プロトコル（例えば、７００ＭＨｚ帯ＩＴＳ規格）にて車載端末９と無線通信を行う通信インタフェースも有する。
有線通信部３５は、交通信号制御機２、電光表示板６及び路側拡声器１１などの路側装置と有線通信を行うための通信インタフェースである。
【００４１】
有線通信部３５は、信号灯色の切り替え替えタイミングを含む信号情報を交通信号制御機２から受信すると、受信した信号情報を制御部３１に渡す。制御部３１は、有線通信部３５から取得した信号情報を、異常走行車両の判定処理（図５参照）に用いる。
有線通信部３５は、車両８の位置及び速度などを含むセンサ情報を路側センサ７から受信すると、受信したセンサ情報を制御部３１に渡す。制御部３１は、有線通信部３５から取得したセンサ情報を、異常走行車両の判定処理（図５参照）に用いる。
【００４２】
無線通信部３４は、車車間通信で送受信される車両状態情報を車載端末９から受信すると、受信した車両状態情報を制御部３１に渡す。制御部３１は、無線通信部３４から取得した車両状態情報を、異常走行車両の判定処理（図５参照）に用いる。
無線通信部３４は、制御部３１が歩行者向けの提供情報を格納した歩行者用パケットを生成すると、生成された歩行者用パケットを歩行者４の携帯端末５にブロードキャスト送信する。
【００４３】
無線通信部３４は、制御部３１が車両向けの提供情報（例えば、高齢者又は身障者などの歩行者が横断中などの情報）を含む車両用パケットを生成すると、生成された車両用パケットを車載端末９にブロードキャスト送信する。
記憶部３３は、ハードディスクや半導体メモリ等から構成されている。記憶部３３は、信号情報などの各種データの一時的なメモリ領域のほか、所定の情報処理を行うためのコンピュータプログラムの格納領域を備えている。
【００４４】
記憶部３３に格納されたコンピュータプログラムは、情報提供装置３の制御部３１を、異常走行車両の判定処理や判定後の提供情報の出力など（図５参照）を実行する、情報処理部として機能させるためのコンピュータプログラムである。
このコンピュータプログラムは、ＣＤ−ＲＯＭやＤＶＤ−ＲＯＭなどの周知の記録媒体に記録した状態で譲渡することもできるし、サーバコンピュータなどのコンピュータ装置からの情報伝送（ダウンロード）によって譲渡することもできる。
【００４５】
〔携帯端末の構成〕
図４は、携帯端末５の構成例を示すブロック図である。
図４では、歩行者４が保持する携帯端末５の一例として、折り畳み式の携帯電話機とスマートフォンが例示されている。もっとも、携帯端末５は、歩行者４が携帯可能でかつ情報提供装置３と通信可能な情報処理装置であればよく、例えば、タブレット型コンピュータやノートＰＣなどであってもよい。
【００４６】
図４に示すように、携帯端末５は、制御部５１、通信部５２、記憶部５３、表示部５４、スピーカ５５及び操作部５６を含む。
通信部５２は、通信キャリアの基地局装置を介した電話及びデータ通信が可能な通信インタフェースと、無線ＬＡＮ及びBluetoothなどの、所定の通信プロトコルにて情報提供装置３と無線通信する通信インタフェースとを有する。
【００４７】
制御部５１は、ＣＰＵ、ＲＯＭ及びＲＡＭなどを含む。制御部５１は、記憶部５３に記憶されたＯＳ（Operating System）などのコンピュータプログラムを読み出して実行することにより、携帯端末５の全体の動作を制御する。
記憶部５３は、ハードディスクや不揮発性のメモリなどより構成されており、各種のコンピュータプログラムやデータを記憶する。
【００４８】
記憶部５３は、歩行者４（以下、「利用者」ともいう。）が自身の嗜好に応じて所定のサーバからインストールした各種のアプリケーションソフトウェア（以下、「アプリケーション」と略記する。）を記憶している。
このアプリケーションには、情報提供装置３からの歩行者向けの提供情報の取得を契機として起動し、取得した提供情報の内容を所定の方式にて歩行者４に報知するアプリケーションが含まれる。
【００４９】
表示部５４は、例えば液晶ディスプレイよりなる。表示部５４は、情報提供装置３から受信した歩行者用パケットに含まれる提供情報を利用者に表示する。
例えば、表示部５４は、提供情報に含まれる異常走行車両の種別や、危険である旨を文字や図形などで表示する（図６参照）。また、携帯端末５が交差点Ｊの図形情報を保持する場合には、表示部５４に、交差点Ｊの平面図又は鳥瞰図よりなる画像データを一緒に表示させることにしてもよい。
【００５０】
スピーカ５５は、情報提供装置３から受信した歩行者用パケットに含まれる提供情報の内容を利用者に音声出力する。スピーカ５５は、携帯端末５の内蔵スピーカでもよいし、イヤホン装着時のイヤホンスピーカでもよい。
例えば、提供情報の内容が「南側からの高速走行車両の接近」である場合には、制御部５１は、読み上げ形式でその内容が音声出力されるようにスピーカ５５を駆動する。制御部５１は、大音響の仮想音源をスピーカ５５に出力させてもよい。また、振動モータを有する携帯端末５の場合には、振動モータを駆動させることにしてもよい。
【００５１】
操作部５６は、表示部５４の画面タッチに応じて操作信号を生成するタッチインタフェース、押しボタン操作に応じて操作信号を生成する操作インタフェース、及び、マイクへの音声入力に応じて操作信号を生成する音声インタフェースなどよりなる。
操作部５６は、上記の少なくとも１つのインタフェースに対する利用者の操作入力に応じた操作信号を制御部５１に出力し、制御部５１は、操作部５６から取得した操作信号に応じた情報処理を行う。
【００５２】
本実施形態の携帯端末５は、ＧＰＳ信号から現在時刻を取得して時刻を補正する時刻同期機能を有する。従って、携帯端末５と情報提供装置３の通信が確立すると、両者間のローカル時刻は同期する。
また、携帯端末５は、ＧＰＳ信号から歩行者４の現在位置（緯度、経度及び高度）を計測する位置検出機能、及び、内蔵する方位センサによって歩行者４の方位及び角速度などを計測する方位検出機能などを有していてもよい。
【００５３】
〔情報提供装置の処理内容〕
図５は、情報提供装置３の制御部３１の処理内容を示すフローチャートである。
情報提供装置３の制御部３１は、図５に示す処理を所定の制御周期（例えば、０．２秒）ごとに実行する。
図５に示すように、制御部３１は、まず、対象エリアである交差点Ｊに車両８が接近中であるか否かの判定を、繰り返し実行する（ステップＳＴ１）。
【００５４】
上記の判定は、センサ情報に含まれる車両８の現在位置が、交差点Ｊの基準位置（例えば停止線位置）から所定の監視距離（例えば、２００ｍ）までの監視エリア内であるか否かによって行うことができる。
或いは、上記の判定は、車両状態情報に含まれる車両８の方位が交差点Ｊの流入側であり、当該車両８の現在位置が、交差点Ｊの基準位置から所定の監視距離までの監視エリア内であるか否かによって行うこともできる。
【００５５】
上記の判定を言い換えると、交差点Ｊの基準位置から見た車両８の現在位置の相対位置情報（＝道のり距離）が監視エリア内か否かの判定である。
従って、記憶部３３が交差点Ｊの基準位置を記憶しておれば、制御部３１は、車両８の現在位置を、通信部３４，３５が受信する情報から取得すれば足りる。もっとも、交差点Ｊの基準位置を他装置から受信する場合は、情報提供装置３は、相対位置情報の算出のために、交差点Ｊの基準位置と車両８の現在位置の双方を外部から取得する必要がある。
【００５６】
上記の判定結果が肯定的である場合には、制御部３１は、監視エリア内でかつ交差点Ｊに接近中の車両８の中に、異常走行車両が存在するか否かを判定する、「異常走行車両の判定処理」を実行する（ステップＳＴ２）。
本実施形態では、異常走行車両の種別として、「規制速度を超過した高速走行車両」（以下、「高速走行車両」という。）、「信号無視又は信号見落とし車両」（以下、「信号無視車両」という。）、及び「蛇行走行車両」の３種類を想定している。
【００５７】
制御部３１は、接近中の１又は複数の車両８が、上記の３種類の出力に該当するか否かを判定する。
例えば、制御部３１は、監視エリア内で接近中の車両８が、交差点Ｊの基準位置から所定の警戒距離（例えば１５０ｍ）以内に存在しており、かつ、接近中の車両８の速度が所定の閾値（例えば時速１００ｋｍ）以上である場合には、当該車両８を「高速走行車両」であると判定する。
【００５８】
また、制御部３１は、接近中の車両８に対する信号灯色が赤の状態で、接近中の車両８が、交差点Ｊの基準位置から所定の警戒距離（例えば、３０ｍ）以内に存在しており、かつ、その車両８の減速度が所定の閾値以下である場合には、当該車両８を「信号無視車両」と判定する。
【００５９】
更に、制御部３１は、接近中の車両８の走行軌跡が、所定時間内において所定回数以上車線を跨ぐ変動を繰り返しており、その繰り返し頻度が所定の閾値以上である場合には、当該車両８を「蛇行走行車両」と判定する。
車両状態情報にハンドルの操舵角が含まれる場合には、所定時間内において所定回数以上ハンドルの操舵角の方向反転が繰り返され、その繰り返し頻度が所定の閾値以上である場合に、当該車両８を「蛇行走行車両」と判定することにしてもよい。
【００６０】
上記の判定処理の結果、異常走行車両ありと判定した場合（ステップＳＴ３でＹｅｓ）、すなわち、「高速走行車両」、「信号無視車両」又は「蛇行走行車両」である車両８が存在する場合は、制御部３１は、歩行者向けの提供情報を出力する（ステップＳＴ４）。
上記の判定処理の結果、異常走行車両なしと判定した場合（ステップＳＴ３でＮｏ）、すなわち、「高速走行車両」、「信号無視車両」又は「蛇行走行車両」である車両８が存在しない場合は、制御部３１は、歩行者向けの提供情報を出力せずに処理を終了する。
【００６１】
制御部３１は、歩行者向け提供情報には、判定処理（ステップＳＴ２）において検出した異常走行車両の「存在方向」と、「異常走行の種別」（高速走行、信号無視又は蛇行走行）を含める。
存在方向とは、交差点Ｊ（対象エリア）から見た場合の異常走行車両の存在位置の方向である。例えば、異常走行車両の流入方向が「東向き」の場合は、その異常走行車両の存在方向は、交差点Ｊから見て「西」となる。
【００６２】
制御部３１は、「存在方向」と「異常の種別」を含む歩行者向けの提供情報を、駆動部３２と無線通信部３４の双方に出力する。駆動部３２は、制御部３１が出力する提供情報の内容の通りに路側の電光表示板６及び路側拡声器１１などを駆動する。
また、無線通信部３４は、歩行者向けの提供情報を歩行者用パケットに含めて携帯端末５にブロードキャスト送信し、携帯端末５は、無線通信部３４から受信した歩行者向けの提供情報を、表示部５４に表示するなどにより歩行者４に提供する。
【００６３】
〔携帯端末による情報提供〕
次に、情報提供装置３から受信した提供情報を、携帯端末５が歩行者４に提供する情報提供処理の一例を説明する。
なお、以下において、提供情報を表示するなどにより、歩行者４などの人に対して情報提供を継続する所定の期間（情報提供の開始から終了までの期間）を、「提供期間」（例えば１０秒間）という。
【００６４】
図６は、携帯端末５による歩行者向けの提供情報の表示例を示す説明図である。
具体的には、異常走行車両の存在のみを情報提供する情報提供装置３（図５の処理を実行する情報提供装置３）から歩行者用パケットを受信する、携帯端末５による提供情報の表示例である。
【００６５】
図６に示すように、携帯端末５の制御部５１は、情報提供装置３から歩行者向けの提供情報を含む歩行者用パケットを受信すると、注意喚起のための表示領域５７を含む表示画面５８を表示部５４に表示させる。
また、制御部５１は、歩行者向けの提供情報から異常走行車両の「存在方向」と「異常の種別」を抽出し、それらの情報の組み合わせに応じた警告内容を、表示領域５７の内部に表示する。
【００６６】
例えば、存在方向が「西」でかつ異常の種別が「信号無視車両」である場合には、制御部５１は、交差点Ｊの西側の道路に対応して表示領域５７を配置し、「危険！  西から信号無視車両が接近中」などの注意喚起の文章を表示領域５７の内部に表示する。
同様に、存在方向が「南」でかつ異常の種別が「高速走行車両」である場合には、制御部３１は、交差点Ｊの南側の道路に対応して表示領域を配置し、「危険！  北から高速走行車両が接近中」などの注意喚起の文章を表示領域に表示する。
【００６７】
なお、異常走行車両の存在方向は、東西南北などの絶対方位ではなく、例えば、地名を含む方面（例えば、「○○町方面」）で表現するなど、歩行者４が咄嗟に理解し易い表現にしてもよい。
【００６８】
上記の表示領域５７の立ち上げと同時に、制御部３１は、表示領域５７と同様の内容をスピーカ５５に音声出力させたり、警告音をスピーカ５５に出力させたり、振動モータを駆動して携帯端末５をバイブレートさせたりすることが好ましい。
このようにすれば、単に表示領域５７を立ち上げて歩行者４に注意喚起する場合に比べて、歩行者４が異常走行車両の発生に気づき易くなる。
【００６９】
また、本実施形態では、交差点Ｊに設置された電光表示板６及び路側拡声器１１の少なくとも１つが、情報提供装置３から受信した歩行者向けの提供情報の内容通りの駆動信号によって駆動される。
このため、携帯端末５による歩行者向けの提供情報を歩行者４に報知するだけの場合に比べて、歩行者４が異常走行車両の発生に気づき易くなるという効果がある。
【００７０】
なお、図６の表示例では、表示部５４の表示画面５８に、交差点Ｊと対応する画像データが表示されているが、交差点Ｊの画像データを表示せずに、注意喚起の文章などを含む表示領域５７のみを、表示画面５８に表示することにしてもよい。
携帯端末５の制御部５１は、表示部５４やスピーカ５５などを用いた上記の情報提供を、所定の提供期間だけ継続する。従って、提供期間が経過した場合又は提供期間中に操作部５６に所定の操作が行われた場合は、制御部５１は上記の情報提供を終了する。
【００７１】
〔情報提供装置の効果〕
以上の通り、本実施形態の情報提供装置３によれば、制御部３１が、異常走行車両の判定処理の結果が異常走行車両の存在である場合にのみ、異常走行車両の接近を通報する歩行者向けの提供情報を出力するので（図５のステップＳＴ２，ＳＴ３）、実際に歩行者４が危険に晒される場合に限り、歩行者向けの提供情報が歩行者４に報知される。
従って、単純に車両８の接近をすべて通報する場合に比べて、通報慣れによって歩行者４の注意喚起度合いが低下するのを防止できすることができ、歩行者４の安全をより高めることができる。
【００７２】
〔第１の変形例〕
図７は、情報提供装置３の制御部３１の別の処理内容を示すフローチャートである。
第１の変形例においても、情報提供装置３の制御部３１は、図７に示す処理を所定の制御周期（例えば、０．２秒）ごとに実行する。
第１の変形例に係る処理（図７）では、異常走行車両の存否に応じて、歩行者向けの提供情報の内容を変更する点で、上述の実施形態に係る処理（図５）と相違する。
【００７３】
すなわち、第１の変形例に係る情報提供装置３において、制御部３１は、異常走行車両が存在しない場合（ステップＳＴ３でＮｏの場合）には、歩行者向けの「第１の提供情報」を出力し（ステップＳＴ５）、異常走行車両が存在する場合（ステップＳＴ３でＹｅｓの場合）には、歩行者向けの「第２の提供情報」を出力する（ステップＳＴ６）。
【００７４】
ここで、歩行者向けの第１の提供情報とは、例えば、異常走行車両ではない通常の車両８（以下、「通常車両」という。）が交差点Ｊに接近中であることを報知する情報をいう。歩行者向けの第２の提供情報の内容は、上述の実施形態の場合における歩行者向けの提供情報と同様である。
従って、情報提供装置３の制御部３１は、監視エリア内において交差点Ｊに接近中の車両８が存在する場合には、異常走行車両が存在しなくても、通常車両の存在方向を含む第２の提供情報を、駆動部３２と無線通信部３４の双方に出力する。
【００７５】
また、制御部３１は、第１の提供情報と第２の提供情報との相違を歩行者４が判別できる形式にて、両者を出力する。
歩行者４が情報を判別できる形式とは、例えば、第１の提供情報と第２の提供情報とで歩行者４に対する形状や色彩などの視覚的な相違を与えたり、第２の提供情報だけ音声出力して歩行者４に対する聴覚的な相違を与えたりすることをいう。
【００７６】
図８は、携帯端末５による歩行者向け提供情報の別の表示例を示す説明図である。
具体的には、異常走行車両の存在と通常車両の存在の双方を情報提供する情報提供装置３（図７の処理を実行する情報提供装置３）から歩行者用パケットを受信する、携帯端末５による提供情報の表示例である。
【００７７】
図８（ａ）は、携帯端末５が所定の提供期間中に第１の提供情報のみを受信した場合の表示例である。図８（ａ）に示すように、携帯端末５の制御部５１は、情報提供装置３から歩行者向けの第１の提供情報を含む歩行者用パケットを受信すると、注意喚起のための表示領域５９を含む表示画面５８を表示部５４に表示させる。
また、制御部５１は、第１の提供情報から通常車両の「存在方向」を抽出し、その方向に対応する道路に表示領域５９を配置する。
【００７８】
例えば、存在方向が「西」である場合には、制御部５１は、交差点Ｊの西側の道路に対応して表示領域５９を配置し、「西側に車両あり」などの注意喚起の文章をその表示領域５９の内部に表示する。
同様に、存在方向が「南」である場合には、制御部３１は、交差点Ｊの南側の道路に対応して表示領域を配置し、「南側に車両あり」などの注意喚起の文章を表示領域に表示する。
【００７９】
図８（ａ）に示すように、第１の提供情報の表示領域５９は、後述の第２の提供情報の表示領域６０（図８（ｂ）及び（ｃ）参照）よりも小さくなっており、両情報が異なることを歩行者４が視覚的に判別できるようになっている。
【００８０】
図８（ｂ）は、携帯端末５が所定の提供期間中に第２の提供情報のみを受信した場合の表示例である。図８（ｂ）に示すように、携帯端末５の制御部５１は、情報提供装置３から歩行者向けの第２の提供情報を含む歩行者用パケットを受信すると、注意喚起のための表示領域６０を含む表示画面５８を表示部５４に表示させる。
また、制御部５１は、第２の提供情報から異常走行車両の「存在方向」と「異常の種別」を抽出し、それらの組み合わせに応じた警告内容を、表示領域６０の内部に表示する。この点は、上述の実施形態の場合と同様である。
【００８１】
図８（ｃ）は、携帯端末５が所定の提供期間中に第１及び第２の提供情報の双方を受信した場合の表示例である。
携帯端末５の制御部５１は、例えば次の条件Ａ１又はＡ２が成立する場合に、通常車両の存在を注意喚起するための表示領域５９と、異常走行車両の存在を注意喚起するための表示領域６０とを表示画面５８に表示させる。
【００８２】
条件Ａ１：第１の提供情報の受信を契機として、通常車両の存在を注意喚起するための表示領域５９を含む表示画面５８（図８（ａ）の表示画面５８）を表示した後、所定の提供期間が経過する前に、第２の提供情報を受信した場合
条件Ａ２：第２の提供情報の受信を契機として、異常走行車両の存在を注意喚起するための表示領域６０を含む表示画面５８（図８（ｂ）の表示画面５８）を表示した後、所定の提供期間が経過する前に、第１の提供情報を受信した場合
【００８３】
条件Ａ１の場合には、携帯端末５の制御部５１は、通常車両の存在方向を含む表示領域５９に加えて、異常走行車両の存在方向と種別を含む表示領域６０を、表示画面５８に追加的に表示する。
条件Ａ２の場合には、携帯端末５の制御部５１は、異常走行車両の存在方向と種別を含む表示領域６０に加えて、通常車両の存在方向を含む表示領域５９を、表示画面５８に追加的に表示する。
【００８４】
なお、図８（ｃ）の表示例では、通常車両と異常走行車両がいずれも西側から進入する場合を例示しているが、通常車両と異常走行車両の存在方向が異なる場合には、それぞれの車両の存在方向に対応する道路位置に、各表示領域５９，６０が配置される。
【００８５】
第１の変形例において、第１の提供情報と第２の提供情報の視覚的な相違は、表示領域５９，６０の大きさ及び形状の相違だけでなく、色彩及び点滅／非点滅などのその他の視覚的な相違によって表現することもできる。
また、第１の提供情報を表示する場合にはスピーカ５５から音声出力せず、第２の提供情報を表示する場合には、スピーカ５５から読み上げや音響を出力するなどにより、両情報の相違を聴覚的に歩行者４に知らせることにしてもよい。
【００８６】
上記の通り、第１の変形例によれば、歩行者向けの第１の提供情報により、通常車両の接近についても歩行者４に通報できるので、歩行者向けの提供情報の種類を豊富化することができる。
また、歩行者向けの第２の提供情報が、第１の提供情報との相違を歩行者４が判別できる形式にて出力されるので、通報慣れによって歩行者４の注意喚起度合いが低下するのを防止することができる。
【００８７】
〔第２の変形例〕
上述の実施形態において、携帯端末５の記憶部５３が歩行者４の属性情報を予め記憶している場合には、携帯端末５の制御部５１は、携帯端末５の現在位置の位置情報とその属性情報を通知する制御パケットを情報提供装置３宛に送信することにしてもよい。
ここで、歩行者４の属性情報とは、身障者、高齢者、学童、乳幼児を伴う婦人などの、歩行者４の属性を識別するための情報のことをいう。
【００８８】
第２の変形例に係る情報提供装置３では、制御部３１は、例えば、制御パケットに含まれる現在位置が交差点Ｊの中心位置から所定距離以内であり、パケット受信時点が交差点Ｊの歩行者青時間内である場合は、歩行者４が交差点Ｊを横断中であると判定する。
そして、制御部３１は、歩行者４が交差点Ｊを横断中であると判定した場合には、制御パケットから抽出した属性情報を車両用パケットに含めて車載端末９に向けてブロードキャスト送信し、横断中の歩行者４の存在を通報する。
【００８９】
このようにすれば、車両８のナビゲーション装置などを利用して、「身障者が横断歩道を通行中」などの情報提供を車両の搭乗者に行うことができ、安全運転に繋がる情報提供を車両８の搭乗者に行うことができる。
ここで、情報提供装置３による通報処理には、属性情報に該当する該当歩行者の存在のみを通報する「限定通報処理」と、該当歩行者に限定せず、属性情報に該当しない通常歩行者の存在についても通報する「非限定通報処理」とを採用し得る。
【００９０】
前者の限定通報処理の場合、情報提供装置３の制御部３１は、属性情報を取得した場合にのみ、当該属性情報に該当する歩行者４の存在を通報する車両向けの提供情報を出力し、属性情報を取得しなかった場合は、歩行者４の存在を通報する車両向けの提供情報を出力しない。
このようにすれば、歩行者４が所定の属性に該当する場合に限り、その存在を通報するための車両向けの提供情報が車両８の搭乗者に報知されるので、通報慣れによって搭乗者の注意喚起度合いが低下するのを防止することができる。
【００９１】
後者の非限定通報処理では、情報提供装置３の制御部３１は、属性情報を取得しない場合には、車両向けの提供情報として、属性情報に該当しない通常歩行者が交差点Ｊに存在することを通報する車両向けの第１の提供情報を出力する。
また、制御部３１は、属性情報を取得した場合には、車両向けの提供情報として、属性情報に該当する該当歩行者が交差点Ｊに存在することを通報する第２の提供情報を、第１の提供情報との相違を車両の搭乗者が判別できる形式にて出力する。
【００９２】
このようにすれば、第１の提供情報により、通常歩行者の存在についても車両８の搭乗者に通報できるので、車両向けの提供情報の種類を豊富化できる。
また、第２の提供情報は、第１の提供情報との相違を車両８の搭乗者が判別できる形式にて出力されるので、通報慣れによって搭乗者の注意喚起度合いが低下するのを防止することができる。
【００９３】
なお、車両８の搭乗者が情報を判別できる形式とは、第１の変形例の場合と同様に、例えば、第１の提供情報と第２の提供情報とで搭乗者に対する形状や色彩などの視覚的な相違を与えたり、第２の提供情報だけ音声出力して搭乗者に対する聴覚的な相違を与えたりすることをいう。
【００９４】
図９は、車両８の搭乗者に対する車両向けの提供情報の表示例を示す説明図である。具体的には、限定通報処理を行う情報提供装置３から車両用パケットを受信する、車載端末９による車両８の搭乗者に対する提供情報の表示例である。
図９の表示例では、車両向け情報の表示部として、ナビゲーション装置６１の表示画面６２が採用されているが、車両８のフロントガラスを表示部とすることにしてもよい。この点は、図１０の表示例の場合も同様である。
【００９５】
図９に示すように、車載端末９は、情報提供装置３から車両向けの提供情報を含む車両用パケットを受信すると、注意喚起のための表示領域６３をナビゲーション装置６１の表示画面６２に表示させる。
また、車載端末９は、提供情報から歩行者４の属性情報を抽出し、抽出した属性を含む注意喚起の文章を表示領域６３の内部に表示する。例えば、属性情報が「身障者」である場合には、車載端末９は、表示画面６２に下部などに表示領域６３を配置し、「身障者が横断歩道を通行中」などの注意喚起の文章を表示領域６３の内部に表示する。
【００９６】
上記の表示領域６３の立ち上げと同時に、車載端末９は、表示領域６３と同様の内容を車載スピーカに音声出力させたり、警告音を車載スピーカに出力させたりすることが好ましい。
このようにすれば、単に表示領域６３を立ち上げて車両８の搭乗者に注意喚起する場合に比べて、搭乗者が所定の属性である歩行者４の存在に気づき易くなる。
【００９７】
図１０は、車両８の搭乗者に対する車両向けの提供情報の別の表示例を示す説明図である。具体的には、非限定通報処理を行う情報提供装置３から車両用パケットを受信する、車載端末９による車両８の搭乗者に対する提供情報の表示例である。
【００９８】
図１０（ａ）は、車両端末９が所定の提供期間中に第１の提供情報のみを受信した場合の表示例である。図１０（ａ）に示すように、車載端末９は、情報提供装置３から車両向けの第１の提供情報を含む車両用パケットを受信すると、注意喚起のための表示領域６４をナビゲーション装置６１の表示画面６２に表示させる。
また、車載端末９は、「歩行者が横断方向を通行中」などの注意喚起の文章を表示領域６４の内部に表示する。
【００９９】
図１０（ａ）に示すように、第１の提供情報の表示領域６４は、後述の第２の提供情報の表示領域６５（図８（ｂ）及び（ｃ）参照）よりも小さくなっており、両情報が異なることを車両８の搭乗者が視覚的に判別できるようになっている。
【０１００】
図１０（ｂ）は、車両端末９が所定の提供期間中に第２の提供情報のみを受信した場合の表示例である。図１０（ｂ）に示すように、車載端末９は、情報提供装置３から車両向けの第２の提供情報を含む車両用パケットを受信すると、注意喚起のための表示領域６５をナビゲーション装置６１の表示画面６２に表示させる。
また、車載端末９は、第２の提供情報から歩行者４の「属性情報」を抽出し、抽出した属性情報の種別に応じた内容を、表示領域６５の内部に表示する。この点は、上述の図９の場合と同様である。
【０１０１】
図１０（ｃ）は、車載端末９が所定の提供期間中に第１及び第２の提供情報の双方を受信した場合の表示例である。
車載端末９は、例えば次の条件Ｂ１又はＢ２が成立する場合に、所定の属性情報に該当しない通常歩行者の存在を注意喚起するための表示領域６４と、所定の属性情報に該当する該当歩行者の存在を注意喚起するための表示領域６５とを表示画面６２に表示させる。
【０１０２】
条件Ｂ１：第１の提供情報の受信を契機として、通常歩行者の存在を注意喚起するための表示領域６４を含む表示画面６２（図１０（ａ）の表示画面６２）を表示した後、所定の提供期間が経過する前に、第２の提供情報を受信した場合
条件Ｂ２：第２の提供情報の受信を契機として、該当歩行者の存在を注意喚起するための表示領域６５を含む表示画面６２（図１０（ｂ）の表示画面６２）を表示した後、所定の提供期間が経過する前に、第１の提供情報を受信した場合
【０１０３】
条件Ｂ１の場合には、車載端末９は、通常歩行者の横断歩道の通行を知らせる表示領域６４に加えて、該当歩行者の横断歩道の通行を知らせる表示領域６５を、表示画面６２に追加的に表示する。
条件Ｂ２の場合には、車載端末９は、該当歩行者の横断歩道の通行を知らせる表示領域６５に加えて、通常歩行者の横断歩道の通行を知らせる表示領域６４を、表示画面６２に追加的に表示する。
【０１０４】
第２の変形例において、第１の提供情報と第２の提供情報の視覚的な相違は、表示領域６４，６５の大きさ及び形状の相違だけでなく、色彩及び点滅／非点滅などのその他の視覚的な相違によって表現することもできる。
また、第１の提供情報を表示する場合には車載スピーカ（図示せず）から音声出力せず、第２の提供情報を表示する場合には、車載スピーカから読み上げや音響を出力するなどにより、両情報の相違を聴覚的に搭乗者に知らせることにしてもよい。
【０１０５】
〔その他の変形例〕
今回開示した実施形態はすべての点で例示であって制限的なものではない。本発明の権利範囲は、上述の実施形態に限定されるものではなく、特許請求の範囲に記載された構成と均等の範囲内でのすべての変更が含まれる。
【０１０６】
例えば、上述の実施形態では、十字路交差点の場合（図１参照）を例示したが、本実施形態の情報提供システムは、Ｔ字路交差点やスクランブル交差点など、十字路以外の構造の交差点に適用することもできる。
また、情報提供装置３が情報提供する「対象エリア」は、交差点Ｊに限定されるものではなく、例えば、見通し不良のカーブ道路の出口周辺や、老人ホームなどの特定施設の出入り口周辺などであってもよい。
【０１０７】
上述の実施形態では、情報提供装置３が路側装置である場合を例示したが、歩行者４の携帯端末５などのモバイルコンピュータであってもよい。
この場合、図５及び図７の処理内容を携帯端末５などのモバイルコンピュータの制御部５１が行うことになる。
【符号の説明】
【０１０８】
１  信号灯器
２  交通信号制御機
３  情報提供装置
４  歩行者
５  携帯端末
６  電光表示板
７  路側センサ
８  車両
９  車載端末
１０  歩行者灯器
１１  路側拡声器
３１  制御部
３２  駆動部
３３  記憶部
３４  無線通信部（取得部）
３５  有線通信部（取得部）
５１  制御部
５２  通信部
５３  記憶部
５４  表示部
５５  スピーカ
５６  操作部
５７  表示領域
５８  表示画面
５９  表示領域
６０  表示領域
６１  ナビゲーション装置
６２  表示画面
６３  表示領域
６４  表示領域
６５  表示領域
Ｊ  交差点（対象エリア）
【図１】
0006451292.tif 000002
【図２】
0006451292.tif 000003
【図３】
0006451292.tif 000004
【図４】
0006451292.tif 000005
【図５】
0006451292.tif 000006
【図６】
0006451292.tif 000007
【図７】
0006451292.tif 000008
【図８】
0006451292.tif 000009
【図９】
0006451292.tif 000010
【図１０】
0006451292.tif 000011